(57)【要約】【課題】  被介護者が車椅子から便器まで移動できる介護用トイレシステムにおいて、被介護者が着座したまま移動でき、さらに安全で、衛生的に快適に利用でき、かつ、介護者の負担も軽減できる介護用トイレシステムを提供すること。【解決手段】  介護者が乗った車椅子１０をキャリー椅子６０の右側面側から接近させ、手すり９０に支持されているキャリー椅子６０の座面支持板６１を７本の片持ち座面構成材で構成された座面５９と座面５９の下にある上部筐体との間に挿入する。座面支持板６１と座面５９とが重なり合ったら、座面５９を下降させる。そうすると、介護者は、座面５９から座面支持板６１上の座面構成材に移乗する。移乗したら、キャリー椅子６０を便器９０側へ押すと、手すり棒９１及び９２を挟持しているキャリー椅子６０の挟持滑車が転動し、キャリー椅子６０が便鉢９８の上方の位置まで移動する。【選択図】  図１
2011239920.tif 000002
【特許請求の範囲】
【請求項１】
便鉢を備えた便器と、
略水平の平坦面が形成された座面支持体と、前記座面支持体の前記平坦面と離隔した状態で前記座面支持体に片持ち支持されると共に、左右方向に延在し、かつ、互いに平行になるように配置された複数本の略棒状の片持ち座面構成材とを備えた車椅子と、
中央又はその近傍に開口部が形成されると共に、前記便鉢の上方の位置まで水平移動可能に設けられた略板状の座面支持板と、前記座面支持板の上面に設けられると共に、左右両側方向に延在し、かつ、互いに平行になるように配置された複数本の略棒状又は略ブロック状の座面構成材を備え、前記座面支持板の下端部から前記座面構成材の上端部までの高さが前記座面支持体の前記平坦面から前記片持ち座面構成材の上端部までの高さよりも低くなるようになされたキャリー椅子とを有する介護用トイレシステムであって、
前記座面支持体と前記座面支持板との少なくとも一方が昇降可能に設けられると共に、前記車椅子を操作して前記座面支持板を前記座面支持体の前記平坦面と前記片持ち座面構成材との間に挿入し、挿入した前記座面支持板を前記座面支持体に対して相対的に上昇させて前記座面構成材が前記片持ち座面構成材同士の間を通って前記キャリー椅子の前記座面構成材の上端部を前記車椅子の前記座面構成材の上端部よりも上方に位置させることによって、前記車椅子に座った被介護者が前記キャリー椅子に移乗するようにしたことを特徴とする介護用トイレシステム。
【請求項２】
前記便器の手前側の所定位置から前記便器の側方まで延在する手すり棒をさらに有し、
前記キャリー椅子は、前記手すり棒を上下から挟持して転動する複数の挟持滑車をさらに備えていることを特徴とする請求項１に記載の介護用トイレシステム。
【請求項３】
前記車椅子は、前記座面支持体が上下方向に分離可能な上部筐体及び下部筐体と、前記上部筐体及び前記下部筐体の内部に前記上部筐体を昇降可能な昇降機構とを備え、
前記上部筐体は、前記片持ち座面構成材の基端部が固定されていると共に、上面を平坦に形成して前記平坦面としていることを特徴とする請求項１又は請求項２に記載の介護用トイレシステム。
【請求項４】
前記車椅子は、前記片持ち座面構成材の基端部が位置する側の側方に、回転可能なハンドルと、前記ハンドルの回転運動を前記昇降機構に伝達する動力伝達機構とをさらに備え、
前記ハンドルを回転させることによって前記片持ち座面構成材を昇降可能になされている特徴とする請求項３に記載の介護用トイレシステム。
【請求項５】
前記キャリー椅子は、前記挟持滑車に接続されると共に、前記手すりの手前側と奥側に係止突起を設けた水平移動支持機構と、前記座面支持板を吊り下げ支持する支持部材が設けられると共に、前記手すりの手前側と奥側に前記係止突起を係止した係止溝を設けた吊り下げ支持機構とをさらに備えていることを特徴とする請求項２から請求項４のいずれか一項に記載の介護用トイレシステム。
【請求項６】
前記キャリー椅子は、前記座面支持板の手前側又は奥側の上面縁辺に左右両側方向に延在して前記座面支持板を補強すると共に、前記座面支持板を前記座面支持体の前記平坦面と前記片持ち座面構成材との間に挿入するときに、前記片持ち座面構成材が摺接することによって前記片持ち座面構成材を案内する上面梁材をさらに備えていることを特徴とする請求項１から請求項５のいずれか一項に記載の介護用トイレシステム。
【請求項７】
前記キャリー椅子は、前記座面支持板の前記片持ち座面構成材と対向する側の下面縁辺に前後方向に延在して前記座面支持板を補強すると共に、前記座面支持板を前記座面支持体の前記平坦面と前記片持ち座面構成材との間に挿入するときに、前記片持ち座面構成材に摺接することによって前記座面支持板を案内する下面補強材をさらに備えていることを特徴とする請求項１から請求項６のいずれか一項に記載の介護用トイレシステム。
【発明の詳細な説明】
【技術分野】
【０００１】
本発明は、介護用トイレシステムに関し、特に被介護者が着座したままの姿勢を変えずに便器まで移動するのに好適な構造を有する介護用トイレシステムに関する。
【背景技術】
【０００２】
介護用入浴トイレシステムにおいては、被介護者又は介護者の負担を軽減するために身体的負担が少ない姿勢で車椅子から便器の前まで移動し、さらにほぼそのままの姿勢で便器に着座できるようにしたものが多い。また、被介護者の身体的負担をさらに軽減するために、あるいは介護者の介護負担をさらに軽減するために、便器の前まで移動する手段へ乗る又は降りることに関わる部分についても様々な改良が加えられている。
【０００３】
このような介護用トイレシステムの従来例の１つとして特開２００９−０９５４７２公報に開示されているものが挙げられる。この公報には、トイレ室の上方に移動のためのレールを設け、このレールに被介護者を吊り上げるための巻き上げ機構を水平移動可能に設けている。被介護者は、この巻き上げ機構によって車椅子から吊り上げられ、便器に着座できる位置まで水平移動する。
【０００４】
このシステムでは、被介護者の体重は巻き上げ機構によって支えられるので、介護者が被介護者を抱え上げる必要がなく、介護者の身体的負担が軽減される。また、吊り上げた介護者を降ろすときには、便器にそのまま着座させることができるので、被介護者が立ち上がる必要もない。しかし、吊り上げられた介護者は、自身の荷重が臀部及び大腿部の下を巡らせたベルトと接した部分に集中的に加わるので、接している部分に痛みや不快感を感じるおそれがある。また、このシステムを実現するためには、トイレ室の入口から便器の後方側まで延びるレールを設置する必要がある。さらに、このレールを支えるために便器の周囲４カ所に支柱を設置する必要があるが、そのような部位に支柱を設置すると車椅子の移動や介護者の作業などを妨げる場合もあるので、好ましい構成とは言えない。
【０００５】
また、別の介護用トイレシステムの従来例の１つとして特開２０１０−０５７８６５公報に開示されているものが挙げられる。この公報には、トイレ室の入口から便器近くまで延びる長方形の座板を設けているシステムが開示されている。すなわち、トイレ室の側壁に折りたたみ可能な座板を設け、被介護者がこの座板の上に座ったまま滑って便器の前まで移動できるようにしている。この座板は不要なときには折りたためるので、健常者がトイレを使用するときにも快適に使用できるという利点がある。
【０００６】
しかし、このシステムでは座板から便器へ移る際に自力で、又は介護者の介助によっていったん立ち上がる必要があるので、脚力が弱い者には適していない。また、座板を取り付けた壁面には手すりを取り付けられないので、手すりに掴まれば歩行に問題がない程度に体力がある者にとっては、座板がトイレの利用を阻害する要因になる。
【先行技術文献】
【特許文献】
【０００７】
【特許文献１】特開２００９−０９５４７２公報
【特許文献２】特開２０１０−０５７８６５公報
【発明の概要】
【発明が解決しようとする課題】
【０００８】
本発明は、上記課題を解決するために、被介護者が車椅子から便器まで移動できる介護用トイレシステムにおいて、被介護者が着座したまま移動でき、さらに安全で、衛生的に快適に利用でき、かつ、介護者の負担も軽減できる介護用トイレシステムを提供することを目的とする。
【課題を解決するための手段】
【０００９】
請求項１に記載の発明は、略水平の平坦面が形成された座面支持体と、前記座面支持体の前記平坦面と離隔した状態で前記座面支持体に片持ち支持されると共に、左右方向に延在し、かつ、互いに平行になるように配置された複数本の略棒状の片持ち座面構成材とを備えた車椅子と、中央又はその近傍に開口部が形成されると共に、前記便鉢の上方の位置まで水平移動可能に設けられた略板状の座面支持板と、前記座面支持板の上面に設けられると共に、左右両側方向に延在し、かつ、互いに平行になるように配置された複数本の略棒状又は略ブロック状の座面構成材を備え、前記座面支持板の下端部から前記座面構成材の上端部までの高さが前記座面支持体の前記平坦面から前記片持ち座面構成材の上端部までの高さよりも低くなるようになされたキャリー椅子とを有する介護用トイレシステムであって、前記座面支持体と前記座面支持板との少なくとも一方が昇降可能に設けられると共に、前記車椅子を操作して前記座面支持板を前記座面支持体の前記平坦面と前記片持ち座面構成材との間に挿入し、挿入した前記座面支持板を前記座面支持体に対して相対的に上昇させて前記座面構成材が前記片持ち座面構成材同士の間を通って前記キャリー椅子の前記座面構成材の上端部を前記車椅子の前記座面構成材の上端部よりも上方に位置させることによって、前記車椅子に座った被介護者が前記キャリー椅子に移乗するようにしたことを特徴とする介護用トイレシステムである。
【００１０】
請求項２に記載の発明は、請求項１に記載の発明において、前記便器の手前側の所定位置から前記便器の側方まで延在する手すり棒をさらに有し、前記キャリー椅子は、前記手すり棒を上下から挟持して転動する複数の挟持滑車をさらに備えていることを特徴とする介護用トイレシステムである。
【００１１】
請求項３に記載の発明は、請求項１又は請求項２に記載の発明において、前記車椅子は、前記座面支持体が上下方向に分離可能な上部筐体及び下部筐体と、前記上部筐体及び前記下部筐体の内部に前記上部筐体を昇降可能な昇降機構とを備え、前記上部筐体は、前記片持ち座面構成材の基端部が固定されていると共に、上面を平坦に形成して前記平坦面としていることを特徴とする介護用トイレシステムである。
【００１２】
請求項４に記載の発明は、請求項３に記載の発明において、前記車椅子は、前記片持ち座面構成材の基端部が位置する側の側方に、回転可能なハンドルと、前記ハンドルの回転運動を前記昇降機構に伝達する動力伝達機構とをさらに備え、前記ハンドルを回転させることによって前記片持ち座面構成材を昇降可能になされている特徴とする介護用トイレシステムである。
【００１３】
請求項５に記載の発明は、請求項２から請求項４のいずれか一項に記載の発明において、前記キャリー椅子は、前記挟持滑車に接続されると共に、前記手すりの手前側と奥側に係止突起を設けた水平移動支持機構と、前記座面支持板を吊り下げ支持する支持部材が設けられると共に、前記手すりの手前側と奥側に前記係止突起を係止した係止溝を設けた吊り下げ支持機構とをさらに備えていることを特徴とする介護用トイレシステムである。
【００１４】
請求項６に記載の発明は、請求項１から請求項５のいずれか一項に記載の発明において、前記キャリー椅子は、前記座面支持板の手前側又は奥側の上面縁辺に左右両側方向に延在して前記座面支持板を補強すると共に、前記座面支持板を前記座面支持体の前記平坦面と前記片持ち座面構成材との間に挿入するときに、前記片持ち座面構成材が摺接することによって前記片持ち座面構成材を案内する上面梁材をさらに備えていることを特徴とする介護用トイレシステムである。
【００１５】
請求項７に記載の発明は、請求項１から請求項６のいずれか一項に記載の発明において、前記キャリー椅子は、前記座面支持板の前記片持ち座面構成材と対向する側の下面縁辺に前後方向に延在して前記座面支持板を補強すると共に、前記座面支持板を前記座面支持体の前記平坦面と前記片持ち座面構成材との間に挿入するときに、前記片持ち座面構成材に摺接することによって前記座面支持板を案内する下面補強材をさらに備えていることを特徴とする介護用トイレシステムである。
【発明の効果】
【００１６】
請求項１に記載の発明によれば、車椅子を操作して、キャリー椅子の座面支持板を車椅子の座面支持体の平坦面と片持ち座面構成材との間に挿入し、さらにキャリー椅子の座面構成材の上端部を車椅子の座面構成材の上端部よりも上方に位置させることによって、車椅子に座った被介護者がキャリー椅子に移乗するようにしたので、被介護者は車椅子に座ったままキャリー椅子に移乗できる。さらに、キャリー椅子は便鉢の上方に位置するところまで水平移動可能であるので、被介護者は立ち上がることなくそのまま用便できる。したがって、被介護者は着座した姿勢のままで便器まで移動でき、安全で快適にトイレを利用できる。また、介護者は、被介護者を抱え上げて移乗させる必要がないので、腰痛の原因となるような作業負担から解放される。
【００１７】
請求項２に記載の発明によれば、キャリー椅子は、介護に対応したトイレ室に設置されている手すり棒を水平移動手段として利用できるので、水平移動用のレールを別途設ける必要がない。また、手すり棒を上下から挟持して転動する複数の挟持滑車を設けたので、キャリー椅子を軽く押すだけでキャリー椅子を便鉢の上方まで移動させることができ、介護者の作業負担を軽減することができる。
【００１８】
請求項３に記載の発明によれば、昇降機構を収納した上部筐体が片持ち座面構成材と共に昇降するので、片持ち座面構成材が降下したときには上部筐体も降下して、昇降機構が上部筐体に覆われることになる。したがって、片持ち座面構成材を降下させているとき、つまり、車椅子に被介護者を乗せて移動しているときには、昇降機構が筐体内に隠れた状態になるので、精神的に不安定な被介護者が手足をばたつかせたときなどに昇降機構に当たって手足で傷つけることを防止できる。
【００１９】
請求項４に記載の発明によれば、介護者は、車椅子の片持ち座面構成材の基端側に立って手元にあるハンドルを回転させながら車椅子を片持ち座面構成材の先端側に押して、キャリー椅子の座面支持板を接近させ、さらに座面支持体の平坦面と片持ち座面構成材との間に挿入させる作業ができるので、片持ち座面構成材を適当な高さに調整することが容易になる。
【００２０】
請求項５に記載の発明によれば、水平移動支持機構に対して吊り下げ支持機構を係止する構造にしたので、吊り下げ支持機構を水平移動支持機構から取りはずすことによって、吊り下げ支持機構に支持された座面支持板及び座面構成材消毒や修理を容易に行うことができる。したがって、このシステムの衛生管理や安全管理が容易になる。
【００２１】
請求項６に記載の発明によれば、キャリー椅子の座面支持板を車椅子の座面支持体の平坦面と片持ち座面構成材との間に挿入するときに、上面梁材が片持ち座面構成材を案内するので、介護者の作業負担を軽減することができる。
【００２２】
請求項７に記載の発明によれば、キャリー椅子の座面支持板を車椅子の座面支持体の平坦面と片持ち座面構成材との間に挿入するときに、下面補強材が座面支持板を案内するので、介護者の作業負担を軽減することができる。
【図面の簡単な説明】
【００２３】
【図１】第１の実施の形態において被介護者が車椅子に座った状態から便器まで移動する過程を示す斜視図（１）である。
【図２】第１の実施の形態において被介護者が車椅子に座った状態から便器まで移動する過程を示す斜視図（２）である。
【図３】第１の実施の形態の車椅子の正面図である。
【図４】第１の実施の形態の車椅子の右側面図である。
【図５】第１の実施の形態の車椅子のａ−ａ線断面図である。
【図６】第１の実施の形態の昇降ユニット及び片持ち座面構成材の説明図であり、（Ａ）は片持ち座面構成材が降下した状態を示す正面図、（Ｂ）は片持ち座面構成材が上昇した状態を示す正面図である。
【図７】第１の実施の形態の昇降ユニット及び片持ち座面構成材のｂ−ｂ線断面図である。
【図８】第１の実施の形態のキャリー椅子の設置状態を示す説明図であり、（Ａ）は平面図、（Ｂ）は正面図である。
【図９】第１の実施の形態の座面支持板と周辺部分を示す説明図であり、（Ａ）は平面図、（Ｂ）は正面図である。
【図１０】被介護者の移乗時の車椅子及びキャリー椅子の座面の状態を示す断面図（１）である。
【図１１】被介護者の移乗時の車椅子及びキャリー椅子の座面の状態を示す断面図（２）である。
【図１２】第２の実施の形態のキャリー椅子を示す正面図である。
【発明を実施するための形態】
【００２４】
以下に、本発明の実施の形態に係る第１の実施の形態の介護用トイレシステムを図面に基づいて説明する。なお、本発明においては、便器又はトイレ室の構成、手すりの設置構造、あるいは、被介護者が車椅子からキャリー椅子へ移乗した後に、どのような経路で便鉢の上方までさせるか、例えばキャリー椅子を便鉢の上方の位置まで水平に直線的に移動した後に被介護者がそのまま用便する、又はキャリー椅子を便鉢の上方の位置まで水平に直線的に移動した後にキャリー椅子を便鉢に接するまで降下させてから被介護者が用便するなどの構成については特に限定されるものではない。また、手すりについても壁面設置型のものにも適用できる。さらに、車椅子又はキャリー椅子を昇降させたり水平移動させたりする動力源や動力の伝達機構も、サーボモータ、リニアモータ、油圧回路、水圧回路など様々なものを適用することができる。なお、動力の伝達機構についても、各種の機構を適用できるので、詳細な記載を省略している。すなわち、本発明は、以下の実施の形態の説明内容や図面の記載に限定されるものではなく、特許請求の範囲の記載を逸脱しない範囲において、種々の構成を採用できる。
【００２５】
まず、この実施の形態に係る介護用トイレシステムの車椅子について説明する。図３は、  第１の実施の形態の車椅子の正面図である。図３において、１０は車椅子、１１、１２及び１４は脚部支柱材、１５は脚部梁材、２０は背もたれ梁材、２１は背もたれ支持材、２２及び２３は背もたれ支柱材、２４ａ及び２４ｃはキャスタ、２５ａ及び２６ａはフットレスト支持材、２７及び２８はフットレスト、２９はアームレスト、３０はアームレスト支持材、３１はアームレスト、３３及び３４は手押し用ハンドル、３５は背もたれ板、３６は動力伝達ユニット、３７は手回し用ハンドル、３８はクランク部材、４０は昇降ユニット、４１ａは上部筐体、４１ｂは下部筐体、５２は片持ち座面構成材である。また、図４は、第１の実施の形態の車椅子の右側面図である。図４において、１３は脚部支柱材、１６は脚部梁材、１９はアームレスト支持材、２４ｂはキャスタ、２５ｂ及び２５ｃはフットレスト支持材、３９は被介護者、５３、５７及び５８は片持ち座面構成材であり、その他の符号は図３と同じものを示す。さらに、図５は、第１の実施の形態の車椅子のａ−ａ線断面図である。図５において、１７及び１８は脚部梁材、２６ｃはフットレスト支持材、５４、５５及び５６は片持ち座面構成材であり、その他の符号は図３及び図４と同じものを示す。なお、以上の各図を含む図面において、図形が重なり合って煩雑になる部分については、発明の理解に差し障りがない範囲において重要性が相対的に低い部分の記載を省略している。
【００２６】
図３、図４及び図５に示すように、車椅子１０は、脚部支柱材１１、１２、１３及び１４からなる４つの支柱を設けている。また、脚部支柱材１２は、上部を車椅子１０の右側面側に水平に延ばし、端部を脚部支柱材１１に接続している。脚部支柱材１１、１２及び１３の下端部にはキャスタ２４ａ、２４ｃ及び２４ｂ、脚部支柱材１４の下端部には図示していないキャスタ１個をそれぞれ設けている。この構造によって、車椅子１０の左手前側に支柱のない空間を確保し、車椅子１０をキャリー椅子に接近させ、さらに両者の座面同士を重ね合わせることを容易にしている。また、右側面側の脚部支柱材１１と脚部支柱材１３との下端部には、これらを架け渡すように脚部梁材１６を設けている。さらに、左側面側の脚部支柱材１２と脚部支柱材１４との下端部には、これらを架け渡すように脚部梁材１７を設けている。くわえて、脚部支柱材１１と脚部支柱材１２との下端部の間には脚部梁材１５、脚部支柱材１３と脚部支柱材１４との下端部の間に脚部梁材１８をそれぞれ架け渡すように設けている。また、脚部支柱材１１と脚部支柱材１３との上端部には、これらを架け渡すようにアームレスト支持材１９を設けている。アームレスト支持材１９は、脚部支柱材１１の上端部と連続し、かつ、脚部支柱材１３の上端部に向かってゆるやかに湾曲するように延びており、端部は脚部支柱材１３の上端部に接続されている。なお、アームレスト支持材１９は、車椅子１０の構造を支持することに加えて、文字通りアームレスト２９を支持する役割も持つ。
【００２７】
また、脚部支柱材１３と脚部支柱材１４には、背もたれ支柱材２２と背もたれ支柱材２３とがそれぞれ接続して設けられている。背もたれ支柱材２２と背もたれ支柱材２３とは、脚部支柱材１３と脚部支柱材１４との上端部から連続してやや後ろに傾きながら上方に延びており、背もたれの構造材としての役割を持つ。また、背もたれ支柱材２２と背もたれ支柱材２３との間には、これらを架け渡すように背もたれ梁材２０及び背もたれ支持材２１を設けている。以上のものが車椅子１０の基本構造材となっている。さらに、背もたれ支持材２１には、背もたれ板３５を取り付けてある。脚部支柱材１３と背もたれ支柱材２２との上端部には、手押し用ハンドル３３と手押し用ハンドル３４とをそれぞれ設けている。なお、脚部支柱材１３と背もたれ支柱材２２との間と、脚部支柱材１４と背もたれ支柱材２３との間に回転機構を設け、背もたれ支柱材２２及び背もたれ支柱材２３を前方又は後方に倒れる折りたたみ式にしてもよい。このようにすれば、車椅子１０の左側面側にキャリー椅子を接近させることがさらに容易になり、くわえて、車椅子１０の周囲で介護や関連作業を行うときに背もたれに邪魔されることがない。
【００２８】
脚部支柱材１１と脚部支柱材１２との下部の手前側には、フットレスト支持材２５ａとフットレスト支持材２６ａとをそれぞれ接続している。フットレスト支持材２５ａとフットレスト支持材２６ａとは、基端部が脚部支柱材１１と脚部支柱材１２とから前方に向かって延び、途中から垂下し、先端部にフットレスト支持材２５ｃとフットレスト支持材２６ｃがそれぞれ接続されている。さらに、フットレスト支持材２５ａは、脚部梁材１６の前端部から手前に延びるフットレスト支持材２５ｂに垂下している部分で接続しており、図示していないがフットレスト支持材２６ａも同様の構造となっている。フットレスト支持材２５ｃとフットレスト支持材２６ｃとには、フットレスト２７とフットレスト２８とが取り付けられている。フットレスト２７及び２８は、従来の車椅子と同様に、上方外側に向かって（観音開きとなるように）約９０度回転することができる。
【００２９】
また、脚部支柱材１４の上端部には、アームレスト用無段階調整機構３２を取り付けてあり、さらにアームレスト用無段階調整機構３２にはアームレスト支持材３０を取り付けている。したがって、アームレスト支持材３０は、傾きを任意の角度に設定でき、さらにその角度を保持できる。なお、被介護者を移乗させるときには、予めアームレスト支持材３０は手押し用ハンドル３４側に回転させて、被介護者の移乗を妨げないようにする。さらに、アームレスト支持材３０の上部には、アームレスト３１を設けている。なお、アームレスト２９をアームレスト支持材３０のような独立した支持材に設けて、アームレスト２９も角度調整ができるようにしてもよい。ところで、以上説明したこの実施の形態の構成は、図１に示すように、このシステムを構成する手すりを便器に向かって右側に設ける場合の構成である。手すりを便器に向かって左側に設ける場合には、図３、図４及び図５の左右を逆転した構成となる。なお、以下に説明するこの実施の形態の構成についても、このシステムを構成する手すりを便器に向かって右側に設けることを前提としている。
【００３０】
さらに、車椅子１０の座面の構成について説明する。図６は、第１の実施の形態の昇降ユニット及び片持ち座面構成材の説明図であり、（Ａ）は片持ち座面構成材が降下した状態を示す正面図、（Ｂ）は片持ち座面構成材が上昇した状態を示す正面図である。図６において、４２及び４３は摺動バー、４４は支点、４５及び４６は支持軸、４７ａは摺動溝、４７ｂは摺動支持部、４８ａは摺動溝、４８ｂは摺動支持部、４９は回転軸、５２ａは垂直部であり、その他の符号は図３と同じものを示す。また、図７は、第１の実施の形態の昇降ユニット及び片持ち座面構成材のｂ−ｂ線断面図である。図７において、５０及び５１は摺動バー、５２は片持ち座面構成材、５３ａは垂直部、５４は片持ち座面構成材、５４ａは垂直部、５５は片持ち座面構成材、５５ａは垂直部、５６は片持ち座面構成材、５６ａ、５７ａ及び５８ａは垂直部、５９は座面であり、その他の符号は図３及び図６と同じものを示す。
【００３１】
車椅子１０の座面５９は、１枚の板ではなく、片持ち座面構成材５２、５３、５４、５５、５６、５７及び５８から成り立っている。すなわち、片持ち座面構成材５２、５３、５４、５５、５６、５７及び５８は、昇降ユニット４０の上部筐体４１ａの右側面にそれぞれ垂直部５２ａ、５３ａ、５４ａ、５５ａ、５６ａ、５７ａ及び５８ａで接続されている。またこれらの垂直部の上端部では、さらに上部筐体４１ａの左側面側に向かって水平に延びている。座面５９は、これらの水平に延びている部分で構成されている。なお、片持ち座面構成材５２、５３、５４、５５、５６、５７及び５８は、図７に示した断面から分かるように、長方形の断面を持つ角棒として形成されている。これは、座面５９を１枚の板ではなく７つの略棒状の片持ち座面構成材で構成していることから、被介護者の片持ち座面構成材に接する皮膚やその近傍の筋肉等に被介護者の体重による荷重が集中して痛みや不快感、違和感を覚えることを低減するためのものである。すなわち、片持ち座面構成材５２、５３、５４、５５、５６、５７及び５８の断面が円形や長円形、六角形であれば、接する皮膚の面積がさらに小さくなり、痛みや不快感、違和感を覚え易くなる。そこで、これらの片持ち座面構成材に接する皮膚の面積をできる限り大きくするために上部が平坦な断面が長方形にしている。なお、被介護者の快適感を増すために、片持ち座面構成材５２、５３、５４、５５、５６、５７及び５８の上面には、被介護者の快適性を確保するためにそれぞれクッション材を貼り付けることが好ましいが、後述するように、キャリー椅子の座面構成材との干渉を避けるために、側面側には貼り付けないことが望ましい。
【００３２】
また、昇降ユニット４０の上部筐体４１ａは、下部筐体４１ｂと共に昇降ユニット４０の筐体としての機能を持っているが、同時に片持ち座面構成材５２、５３、５４、５５、５６、５７及び５８の基盤としての機能、さらに被介護者を移乗させる際にキャリー椅子の部材の案内材としての機能を併せ持っている。なお、車椅子１０に座った被介護者が精神的に不安定な状態になった場合、手足を激しくばたつかせることが考えられる。後述する昇降機構を覆うものがないと、そのようなときに昇降機構で手足を傷つけるおそれがある。したがって、片持ち座面構成材５２、５３、５４、５５、５６、５７及び５８の基盤やキャリー椅子の部材の案内材となるものに対して筐体としての機能を持たせることは大きな意味を持っている。なお、例えばシリンダで昇降させる場合は、上部筐体４１ａとは別に板状のものを設け、この板状のものにシリンダの先端部に片持ち座面構成材５２、５３、５４、５５、５６、５７及び５８の基盤とキャリー椅子の部材の案内材となる機能を持たせてもよい。
【００３３】
上部筐体４１ａ及び下部筐体４１ｂの内部には、摺動バー４２、４３、５０及び５１が設けられている。摺動バー４２と摺動バー４３とは、固定されていない支点４４において回転可能な状態で連結されている。また、摺動バー４２は、昇降ユニット４０の右側面側の端部近傍で下部筐体４１ｂの前後の側面に固定された支持軸４５によって回転可能な状態で支持されている。さらに、昇降ユニット４０の左側面側では摺動支持部４８ｂが設けられている。摺動支持部４８ｂは、固定されておらず、摺動溝４８ａの内部を摺動可能である。摺動バー４３も同様に、昇降ユニット４０の右側面側の端部近傍で下部筐体４１ｂの前後の側面に固定された支持軸４６によって回転可能な状態で支持され、左側面側に摺動溝４７ａの内部を摺動可能な摺動支持部４７ｂが設けられている。摺動支持部４７ｂ及び４８ｂは、回転軸４９の回転運動によって昇降ユニット４０の左側面側又は右側面側に自在に移動する。したがって、摺動バー４２と摺動バー４３とは、回転軸４９の回転運動によって上部筐体４１ａを上昇させる、または、降下させる機能を持っている。摺動バー５０と摺動バー５１とについても、全く同様に構成されており、これらも上部筐体４１ａを上昇させる、または、降下させる機能を持っている。したがって、片持ち座面構成材５２、５３、５４、５５、５６、５７及び５８からなる座面５９は、回転軸４９の回転によって上昇又は下降する。なお、片持ち座面構成材５２、５３、５４、５５、５６、５７及び５８が最高位にあるときの高さと最下位にあるときの高さの差は任意に設定できるが、高低差が大きいと被介護者が不安を感じる場合があるので、１０ｃｍから１５ｃｍくらいが好ましい。
【００３４】
次に、図３及び図４に戻って動力伝達ユニットについて説明する。動力伝達ユニット３６は、手回し用ハンドル３７の回転を回転軸４９に伝達するものである。すなわち、介護者が手回し用ハンドル３７を握って回転させると、クランク部材３８が回転して動力伝達ユニット３６の内部にある伝達機構に回転が伝わる。そして、回転軸４９に接続された伝達機構の下部の部分から回転軸４９に回転運度が伝わる。したがって、動力伝達ユニット３６は、回転軸４９の基端部が位置している車椅子１０の右側面側に設けられている。なお、後述するキャリー椅子６０の座面支持板を昇降可能に構成する場合には、車椅子１０の昇降ユニット４０と動力伝達ユニット３６とを省略することも可能である。
【００３５】
次に、この実施の形態に係る介護用トイレシステムのキャリー椅子について説明する。図８は、第１の実施の形態のキャリー椅子の設置状態を示す説明図であり、（Ａ）は平面図、（Ｂ）は正面図である。図８において、６０はキャリー椅子、６１は座面支持板、６１ｂは開口部、６３、６４及び６５は座面支持材、６８は係止板、７０、７１及び７２は係止突起、７４、７５、７６、７７及び７８は挟持滑車、７９は締め付け用ハンドル、８０は上面梁材、８１ａ、８１ｂ、８２ａ、８２ｂ、８３ａ、８３ｂ、８４ａ、８４ｂ、８５ａ、８５ｂ、８６ａ及び８６ｂは座面構成材、８７はストッパ、９０は手すり、９１は手すり棒、９３及び９４は支持柱、９５及び９６は床面固定部、９７は便器、９８は便鉢、９９は壁面である。また、図９は、第１の実施の形態の座面支持板と周辺部分を示す説明図であり、（Ａ）は平面図、（Ｂ）は正面図である。図９において、６１ａは下面補強部、６２は上面梁材、６６及び６７はキャリー椅子支持板、６８ａ、６８ｂ及び６８ｃは切れ込み、６８ｄ、６８ｅ及び６８ｆはスリット、６９は係止板、７３は係止突起、９２は手すり棒であり、その他の符号は図８と同じものを示す。なお、図８（Ａ）には手前の壁と左右両側方の壁、及びトイレ室の出入口と出入口ドアの記載を省略しているが、図８（Ａ）のさらに左手にトイレ室の出入口と出入口ドアがあるものとする。
【００３６】
キャリー椅子６０は、後述するように、座面支持板６１を座面支持材６３、６４及び６５とキャリー椅子支持板６６によって吊り下げ状態で支持する構成となっている。図８に示すように、座面支持板６１は、座面の基盤となるものであり、おおむね左右方向に沿った縁辺が前後方向の縁辺より長く、比較的薄い長方形板として形成されている。また、座面支持板６１の中央には、卵形の輪郭を持つ開口部６１が形成されている。開口部６１は、便器９７の便鉢９８の開口部の形状及び大きさに合わせて形成されている。なお、座面支持板６１又は開口部６１の形状及び大きさは、このシステムを設置するトイレ室の便器に応じて適宜変更できる。さらに、座面支持板６１は、図９（Ｂ）に示すように、右側面側の下面の縁辺に下面補強部６１ａを設けている。下面補強部６１ａは、座面支持板６１の母材となる金属板を折曲加工したものであり、座面支持板６１を補強する梁材としての役割と、後述するように、座面支持板６１を片持ち座面構成材５２、５３、５４、５５、５６、５７及び５８と上部筐体４１ａとの間に挿入する際に座面支持板６１を案内する役割を併せ持つ。下面補強部６１ａの上面側には、座面支持板６１を片持ち座面構成材５２、５３、５４、５５、５６、５７及び５８と上部筐体４１ａとの間に挿入する際に、挿入を阻害する要因となるので、補強するものを設けていない。
【００３７】
さらに、図９（Ａ）に示すように、座面支持板６１の上面には、各々平行に座面構成材８１ａ、８１ｂ、８２ａ、８２ｂ、８３ａ、８３ｂ、８４ａ、８４ｂ、８５ａ、８５ｂ、８６ａ及び８６ｂを設けている。座面構成材８１ａ、８１ｂ、８２ａ、８２ｂ、８３ａ、８３ｂ、８４ａ、８４ｂ、８５ａ、８５ｂ、８６ａ及び８６ｂは、キャリー椅子６０に座る被介護者の臀部に直接触れる部分であり、図９（Ｂ）に示すように、座面支持板６１の左右方向に延びる水平部分とこの水平部分の両端部から座面支持板６１の上面に垂下する２つの垂直部からなっている。さらに、座面構成材８１ａと座面構成材８１ｂ、座面構成材８２ａと座面構成材８２ｂ、座面構成材８３ａと座面構成材８３ｂ、座面構成材８４ａと座面構成材８４ｂ、座面構成材８５ａと座面構成材８５ｂ、座面構成材８６ａと座面構成材８６ｂとは、それぞれ開口部６１を挟むようにして一直線をなすように配置されている。くわえて、座面支持板６１の上面の手前側の縁辺には上面梁材８０、奥側の縁辺には上面梁材６２を設けている。上面梁材８０と上面梁材６２とはそれぞれ座面支持板６１を補強する役割と、座面支持板６１を片持ち座面構成材５２、５３、５４、５５、５６、５７及び５８と上部筐体４１ａとの間に挿入するときに片持ち座面構成材５２と片持ち座面構成材５８とにそれぞれ摺接してこれらを案内する役割とを持つ。なお、上面梁材８０と座面構成材８１ａ、８１ｂ、８２ａ、８２ｂ、８３ａ、８３ｂ、８４ａ、８４ｂ、８５ａ、８５ｂ、８６ａ及び８６ｂとの上面には、被介護者の快適性を確保するためにクッション材を貼り付けることが好ましいが、片持ち座面構成材５２、５３、５４、５５、５６、５７及び５８との干渉を避けるために、側面側には貼り付けないことが望ましい。また、座面構成材８１ａ、８１ｂ、８２ａ、８２ｂ、８３ａ、８３ｂ、８４ａ、８４ｂ、８５ａ、８５ｂ、８６ａ及び８６ｂは、直方体形状などのブロック状のものであってもよい。
【００３８】
ところで、後述するように、車椅子１０に座った被介護者をキャリー椅子６０へ移乗するときには、座面支持板６１を片持ち座面構成材５２、５３、５４、５５、５６、５７及び５８と上部筐体４１ａとの間に挿入して、上面梁材８０と座面構成材８１ａ及び８１ｂとの間に片持ち座面構成材５２、座面構成材８１ａ及び８１ｂと座面構成材８２ａ及び８２ｂとの間に片持ち座面構成材５３、座面構成材８２ａ及び８２ｂと座面構成材８３ａ及び８３ｂとの間に片持ち座面構成材５４、座面構成材８３ａ及び８３ｂと座面構成材８４ａ及び８４ｂとの間に片持ち座面構成材５５、座面構成材８４ａ及び８４ｂと座面構成材８５ａ及び８５ｂとの間に片持ち座面構成材５６、座面構成材８５ａ及び８５ｂと座面構成材８６ａ及び８６ｂとの間に片持ち座面構成材５７、座面構成材８６ａ及び８６ｂと上面梁材６２との間に片持ち座面構成材５８をそれぞれ位置させる。つまり、車椅子１０の座面を構成するものとキャリー椅子６０の座面を構成するものとが交互に配置されるように、これらの座面同士を重ね合わせる。そして、片持ち座面構成材５２、５３、５４、５５、５６、５７及び５８を降下させることによって被介護者を移乗させるので、座面を構成するこれらのものが互いに干渉すると移乗に支障をきたすことになる。したがって、座面支持板６１の前後方向に対して配置された上面梁材８０、座面構成材８１ａ、８２ａ、８３ａ、８４ａ、８５ａ及び８６ａ、上面梁材６２と、上面梁材８０、座面構成材８１ｂ、８２ｂ、８３ｂ、８４ｂ、８５ｂ及び８６ｂと、上面梁材６２との間隔は、片持ち座面構成材５２、５３、５４、５５、５６、５７及び５８の幅よりも若干広く設定してある。
【００３９】
また、座面支持板６１を片持ち座面構成材５２、５３、５４、５５、５６、５７及び５８と上部筐体４１ａとの間に挿入するときに、上面梁材８０と座面構成材８１ａ、８１ｂ、８２ａ、８２ｂ、８３ａ、８３ｂ、８４ａ、８４ｂ、８５ａ、８５ｂ、８６ａ及び８６ｂとの上端部、つまり最高位となる部分が片持ち座面構成材５２、５３、５４、５５、５６、５７及び５８の上端部よりも上方にあると、上面梁材８０と座面構成材８１ａ、８２ａ、８３ａ、８４ａ、８５ａ及び８６ａとのいずれかが他の座面を構成するものとの間に、車椅子１０に座っている被介護者の臀部又は大腿部の皮膚を挟んでけがをする、あるいは、これらが皮膚に摺れて不快に感じることも考えられる。したがって、座面支持板６１の最下位の部分である下面補強部６１ａの先端部から上面梁材８０と座面構成材８１ａ、８１ｂ、８２ａ、８２ｂ、８３ａ、８３ｂ、８４ａ、８４ｂ、８５ａ、８５ｂ、８６ａ及び８６ｂとの上端部までの高さは、少なくとも上部筐体４１ａの上面から片持ち座面構成材５２、５３、５４、５５、５６、５７及び５８の上端部までの高さよりも低くすることが望ましい。くわえて、被介護者の臀部又は大腿部が座面を構成するもの同士の間から下方に張り出す長さを考慮し、この長さを考慮した高さよりも低くすることがさらに望ましい。
【００４０】
さらに、キャリー椅子６０の水平移動に関わる構造について説明する。図９に示すように、座面支持材６３及び６４は、下方の端部が上面梁材６２に接続されている。座面支持材６３の上方の端部はキャリー椅子支持板６６に接続されており、座面支持材６４の上方の端部は座面支持材６３のキャリー椅子支持板６６近傍の部分に接続されている。座面支持材６５は、下方の端部が上面梁材８０に接続されており、上方の端部はキャリー椅子支持板６６に接続されている。したがって、座面支持板６１と座面支持材６３、６４及び６５とは、全体として座面支持板６１を吊り下げ支持する吊り下げ支持機構として機能する。なお、この実施の形態では、座面支持材６３及び６４と上面梁材６２に囲まれた領域には何も設けていないが、この領域に背もたれを設けてもよい。また、介護者がキャリー椅子６０をさらに容易に水平移動できるように、座面支持板６１や座面支持材６３、あるいはキャリー椅子６０の右側面側に位置するその他の部材に取っ手を取り付けてもよい。
【００４１】
キャリー椅子支持板６６は垂直方向に延びるほぼ長方形の板であり、さらに、キャリー椅子支持板６６の手すり９０側にはキャリー椅子支持板６７が配置されている。キャリー椅子支持板６７は垂直方向に延びるほぼ長方形の板であり、キャリー椅子支持板６６と接した状態で使用されるが、これらは分離可能である。キャリー椅子支持板６７には挟持滑車７４、７５、７６、７７及び７８と、図示していないさらに３つの挟持滑車が接続されており、これらの挟持滑車によって手すり９０に対して前後に移動可能な状態で支持されている。すなわち、キャリー椅子支持板６７の手前側において、挟持滑車７４と挟持滑車７５とが手すり棒９２を回転可能な状態で挟持しており、挟持滑車７６と挟持滑車７７とが手すり棒９１を回転可能な状態で挟持している。また、締め付け用ハンドル７９による締め付けによって挟持滑車が手すり棒９１及び９２から脱落することを防止している。さらに、キャリー椅子支持板６７の奥側において、挟持滑車７７とその他の３つの挟持滑車によって同様の状態で支持されている。キャリー椅子支持板６７とこれに接続された挟持滑車等は、手すり棒９１及び９２を設けた範囲を自在に水平移動できる水平移動支持機構としての役割を持っている。なお、これらの挟持滑車の１個又は複数個の転動を規制してキャリー椅子６０の水平移動を阻止するロック機構を設けてもよい。
【００４２】
また、キャリー椅子支持板６６は、手前側の端面に係止板６８、奥側の端面に係止板６９を設けている。係止板６８及び６９には、上下方向に逆Ｌ字状の切れ込み６８ａ、６８ｂ及び６８ｃを形成している。なお、係止板６８は、キャリー椅子支持板６６にネジ止めされているが、ネジ止め用孔であるスリット６８ｄ、６８ｅ及び６８ｆのどの部分にネジを締め付けるかによって、支持板６６に対する係止板６８の止め付け位置を調整できる。したがって、椅子支持板６７を基準に考えると、係止したときのキャリー椅子支持板６６の高さ、ひいては座面支持板６１の高さをある程度調整することができる。また、キャリー椅子支持板６７の手前側の端面には係止突起７０、７１及び７２が手前側に突出している。くわえて、キャリー椅子支持板６７の奥側の端面にも、同様の係止突起を設けている。これらの係止突起は、係止板６８及び６９の切れ込みに形成できるように配置されている。したがって、キャリー椅子支持板６６とこれに一体的に設けられた座面支持板６１等は、係止突起７０、７１及び７２等から係止板６８及び６９をはずすことによってキャリー椅子支持板６７から分離できる。
【００４３】
したがって、本発明の介護用トイレシステムでは、座面支持板６１等は作業に適した場所に移動して消毒やメンテナンス等の作業が行うことができ、介護以外の作業負担も軽減できるという利点がある。また、逆に係止突起７０、７１及び７２等に係止板６８及び６９を係止することによってキャリー椅子支持板６６の連結も簡単に実行できる。キャリー椅子支持板６６に対して係止板６８及び６９を取り付ける高さを適宜調整することによって、座面支持板６１の高さを自在には座面支持材６３等の長さ等によって適宜設定できるので、本発明の便器９７の大きさや形状の違いに柔軟に対応できる。また、便座を跳ね上げた状態でキャリー椅子６０を移動して用便することも可能であるし、便座をそのままの状態にしておき便座の上方にキャリー椅子６０を位置させて用便することも可能である。なお、キャリー椅子支持板６６及び６７の連結構造は、係止突起７０、７１及び７２等による構造に限られるものではなく、例えばネジ止めだけで固定する構造など他のものであってもよい。
【００４４】
この実施の形態では、手すり９０は、トイレ室の入口に近く、かつ、便器９７に向かって右側の壁面近くに支持柱９３を立てて床面固定部９５で固定し、トイレ室の右隅、つまり便器９７に向かって右側に支持柱９４を立てて床面固定部９で固定しているが、トイレ室の右側の壁面に取り付けられた手すり棒であっても、ブラケットが挟持滑車に干渉しない形態であれば同様に利用できる。さらに、この実施の形態とは逆に、トイレ室の左側の壁面近くとトイレ室の左隅とに支柱を立てた手すりであっても、本発明の介護用トイレシステムを好ましく適用できる。なお、この場合には、前述のように図８及び図９とは左右反転した構成となる。また、座面支持板６１を片持ち座面構成材５２、５３、５４、５５、５６、５７及び５８と上部筐体４１ａとの間に挿入するときに、車椅子１０に干渉しなければ、キャリー椅子６０にフットレスト支持材及びフットレストを設けることも可能である。さらに、キャリー椅子６０に動力伝達ユニット３６や昇降ユニット４０のような機構を設けて、座面支持板６１を昇降可能な構成にすることも可能である。
【００４５】
次に、この実施の形態に係る介護用トイレシステムの被介護者が車椅子に座った状態から便器まで移動する過程について説明する。図１は、第１の実施の形態において被介護者が車椅子に座った状態から便器まで移動する過程を示す斜視図（１）である。図１において用いた符号は、すべて図３及び図８と同じものを示す。また、図２は、第１の実施の形態において被介護者が車椅子に座った状態から便器まで移動する過程を示す斜視図（２）である。図２において用いた符号もすべて図３及び図８と同じものを示す。さらに、図１０は、被介護者の移乗時の車椅子及びキャリー椅子の座面の状態を示す断面図（１）である。図１０において、３９ａは臀部であり、その他の符号はすべて図３及び図８と同じものを示す。くわえて、図１１は、被介護者の移乗時の車椅子及びキャリー椅子の座面の状態を示す断面図（２）である。図１１において用いた符号は、すべて図３、図８及び図１０と同じものを示す。なお、図１及び図２では、トイレ室の周囲の壁面と介護者の記載は省略している。
【００４６】
図１（Ａ）に示すように、まず、被介護者の移乗が容易になるようにキャリー椅子６０を手前に移動しておく。次に、介護者を載せた車椅子１０をトイレ室内に移動させ、キャリー椅子６０の右側面側、つまり下面補強部６１ａ側に被介護者が手前を向くように停止させる。さらに、図１（Ｂ）に示すように、車椅子１０をキャリー椅子６０に接近させ、さらに座面支持板６１を片持ち座面構成材５２、５３、５４、５５、５６、５７及び５８と上部筐体４１ａとの間に挿入して行く。すなわち、図１０（Ａ）に示すように、座面構成材５２、５３、５４、５５、５６、５７及び５８の上に介護者３９の臀部３９ａが乗った状態のままで、下面補強部６１ａを片持ち座面構成材５２、５３、５４、５５、５６、５７及び５８と上部筐体４１ａとの間に挿入する。そして、そのまま座面支持板６１を片持ち座面構成材５２、５３、５４、５５、５６、５７及び５８と上部筐体４１ａとの間に押し込んでゆくと、下面補強部６１ａが上部筐体４１ａの上面と摺接しながら車椅子１０とキャリー椅子６０との座面が重なり合って行く。そして、両者が完全に重なり合うと図１０（Ｂ）に示す状態となる。この状態においては、座面構成材８４ａ及び８４ｂ等のキャリー椅子６０の座面構成材は臀部３９ａに接触していない。
【００４７】
次に、図２（Ｃ）に示すように、被介護者が手回し用ハンドル３７を回転させて、上部筐体４１ａを下降させ、座面構成材８１ａ、８１ｂ、８２ａ、８２ｂ、８３ａ、８３ｂ、８４ａ、８４ｂ、８５ａ、８５ｂ、８６ａ及び８６ｂの上端部が片持ち座面構成材５２、５３、５４、５５、５６、５７及び５８の上端部よりも上に位置するようにする。そうすると、図１１（Ｃ）に示すように、介護者３９の臀部３９ａは座面構成材８１ａ、８１ｂ、８２ａ、８２ｂ、８３ａ、８３ｂ、８４ａ、８４ｂ、８５ａ、８５ｂ、８６ａ及び８６ｂの上に乗った状態となり、キャリー椅子６０に移乗した状態となる。続けて、図１１（Ｄ）に示すように、車椅子１０をキャリー椅子６０の右側面側から離隔させて行く。両者が完全に離れたら、図２（Ｄ）に示すように、キャリー椅子６０を便器９７の便鉢９８の上方まで移動させて用便できる状態とする。
【００４８】
被介護者の用便が終わったら、今度は前述した過程とは逆の過程を実行する。すなわち、キャリー椅子６０を手前に移動する。そして、車椅子１０をキャリー椅子６０の右側面側から接近させ、さらに座面支持板６１を片持ち座面構成材５２、５３、５４、５５、５６、５７及び５８と上部筐体４１ａとの間に挿入して行く。両者が完全に重なり合ったら、被介護者が手回し用ハンドル３７を逆方向に回転させて、上部筐体４１ａを上昇させ、座面構成材８１ａ、８１ｂ、８２ａ、８２ｂ、８３ａ、８３ｂ、８４ａ、８４ｂ、８５ａ、８５ｂ、８６ａ及び８６ｂの上端部が片持ち座面構成材５２、５３、５４、５５、５６、５７及び５８の上端部よりも下に位置するようにする。これによって、今度は介護者３９の臀部３９ａが片持ち座面構成材５２、５３、５４、５５、５６、５７及び５８に乗った状他になる。次に、車椅子１０をキャリー椅子６０の右側面側から離隔させて行き、最後は車椅子１０をトイレ室から退出させる。
【００４９】
以上説明したように、この実施の形態に係る介護用トイレシステムにおいては、車椅子１０をキャリー椅子６０の右側面側から接近させ、さらに座面支持板６１を片持ち座面構成材５２、５３、５４、５５、５６、５７及び５８と上部筐体４１ａとの間に挿入することによって、車椅子１０とキャリー椅子６０との座面を重ね合わせるようにしているので、被介護者は全く姿勢を変える必要がない。車椅子１０とキャリー椅子６０との座面を重ね合わせるときには、下面補強部６１ａ、上面梁材６２及び８０が周辺部材を案内するので、簡単に重ね合わせることができる。また、片持ち座面構成材５２、５３、５４、５５、５６、５７及び５８を昇降させるが、被介護者の姿勢の変化や、目の高さの変化が起立したり座ったりするときよりも遙かに小さいので、被介護者が心身への負担を感じることがほとんどない。また、キャリー椅子６０が水平移動するので、被介護者が空中へ吊り上げられるときのような不安感や不快感を覚えることがない。また、介護者は、被介護者を抱え上げるなどの身体的負担が大きい作業から解放されるので、腰痛等の低減が可能になる。また、座面支持板６１を片持ち座面構成材５２、５３、５４、５５、５６、５７及び５８と上部筐体４１ａとの間に挿入してから片持ち座面構成材５２、５３、５４、５５、５６、５７及び５８を下降させるので、作業の困難性がほとんどない。例えば、座面支持板６１を片持ち座面構成材５２、５３、５４、５５、５６、５７及び５８との高低差が５０ｃｍを超えているような構成であれば、片持ち座面構成材５２、５３、５４、５５、５６、５７及び５８と座面構成材８１ａ、８１ｂ、８２ａ、８２ｂ、８３ａ、８３ｂ、８４ａ、８４ｂ、８５ａ、８５ｂ、８６ａ及び８６ｂとを接近させ、さらに総合に干渉しないように交差させることは非常に困難であるが、この実施の形態に係る介護用トイレシステムにおいてはそのような困難性がない。また、座面支持板６１等は作業に適した場所に移動して消毒やメンテナンス等の作業できるようになり、介護者は常に清潔で快適なシステムを利用することができる。また、キャリー椅子６０の高さの調整が容易なので、様々な介護施設等での利用が可能となる。
【００５０】
さらに、本発明の第２の実施の形態の介護用トイレシステムについて説明する。図１２は、第２の実施の形態のキャリー椅子を示す正面図である。図１２において、８８は支持脚、８９はキャスタであり、その他の符号は図９と同じものを示す。この実施の形態の介護用トイレシステムは、手すりの強度が被介護者の体重を支持するのに十分でない場合に好適なものである。すなわち、下面補強部６１ａの手前側に、車椅子１０の各部と干渉しないように支持脚８８を設け、その下端部にキャスタ８９を設けている。さらに、図示していないが、下面補強部６１ａの奥側にも支持脚とキャスタを設けている。したがって、この実施の形態のキャリー椅子６０は、被介護者の体重を２本の支持脚と手すりで支持するものである。なお、図１２では、手すり棒が２本設けてある場合の構成を示しているが、手すり棒が１本の場合にも非常に好ましく適用できる。
【００５１】
なお、本発明は以上に説明した内容に限定されるものではなく、キャリー椅子の水平移動手段などについては、各請求項に記載した範囲を逸脱しない限りにおいて種々の変形を加えることが可能である。例えば、キャリー椅子に４本の脚を設け、さらにその下端部にキャスタを設けて車椅子のように移動する構造にしてもよい。また、回転するアームを設け、そのアームの先端にキャリー椅子を取り付け、アームの回転によって便鉢の上方に水平移動するようにしてもよい
【符号の説明】
【００５２】
１０      車椅子
１１      脚部支柱材
１２      脚部支柱材
１３      脚部支柱材
１４      脚部支柱材
１５      脚部梁材
１６      脚部梁材
１７      脚部梁材
１８      脚部梁材
１９      アームレスト支持材
２０      背もたれ梁材
２１      背もたれ支持材
２２      背もたれ支柱材
２３      背もたれ支柱材
２４ａ    キャスタ
２４ｂ    キャスタ
２４ｃ    キャスタ
２５ａ    フットレスト支持材
２５ｂ    フットレスト支持材
２５ｃ    フットレスト支持材
２６ａ    フットレスト支持材
２６ｃ    フットレスト支持材
２７      フットレスト
２８      フットレスト
２９      アームレスト
３０      アームレスト支持材
３１      アームレスト
３２      アームレスト用無段階調整機構
３３      手押し用ハンドル
３４      手押し用ハンドル
３５      背もたれ板
３６      動力伝達ユニット
３７      手回し用ハンドル
３８      クランク部材
３９      被介護者
３９ａ    臀部
４０      昇降ユニット
４１ａ    上部筐体
４１ｂ    下部筐体
４２      摺動バー
４３      摺動バー
４４      支点
４５      支持軸
４６      支持軸
４７ａ    摺動溝
４７ｂ    摺動支持部
４８ａ    摺動溝
４８ｂ    摺動支持部
４９      回転軸
５０      摺動バー
５１      摺動バー
５２      片持ち座面構成材
５２ａ    垂直部
５３      片持ち座面構成材
５３ａ    垂直部
５４      片持ち座面構成材
５４ａ    垂直部
５５      片持ち座面構成材
５５ａ    垂直部
５６      片持ち座面構成材
５６ａ    垂直部
５７      片持ち座面構成材
５７ａ    垂直部
５８      片持ち座面構成材
５８ａ    垂直部
５９      座面
６０      キャリー椅子
６１      座面支持板
６１ａ    下面補強部
６１ｂ    開口部
６２      上面梁材
６３      座面支持材
６４      座面支持材
６５      座面支持材
６６      キャリー椅子支持板
６７      キャリー椅子支持板
６８      係止板
６８ａ    切れ込み
６８ｂ    切れ込み
６８ｃ    切れ込み
６８ｄ    スリット
６８ｅ    スリット
６８ｆ    スリット
６９      係止板
７０      係止突起
７１      係止突起
７２      係止突起
７３      係止突起
７４      挟持滑車
７５      挟持滑車
７６      挟持滑車
７７      挟持滑車
７８      挟持滑車
７９      締め付け用ハンドル
８０      上面梁材
８１ａ    座面構成材
８１ｂ    座面構成材
８２ａ    座面構成材
８２ｂ    座面構成材
８３ａ    座面構成材
８３ｂ    座面構成材
８４ａ    座面構成材
８４ｂ    座面構成材
８５ａ    座面構成材
８５ｂ    座面構成材
８６ａ    座面構成材
８６ｂ    座面構成材
８７      ストッパ
８８      支持脚
８９      キャスタ
９０      手すり
９１      手すり棒
９２      手すり棒
９３      支持柱
９４      支持柱
９５      床面固定部
９６      床面固定部
９７      便器
９８      便鉢
９９      壁面
【図１】
2011239920.tif 000003
【図２】
2011239920.tif 000004
【図３】
2011239920.tif 000005
【図４】
2011239920.tif 000006
【図５】
2011239920.tif 000007
【図６】
2011239920.tif 000008
【図７】
2011239920.tif 000009
【図８】
2011239920.tif 000010
【図９】
2011239920.tif 000011
【図１０】
2011239920.tif 000012
【図１１】
2011239920.tif 000013
【図１２】
2011239920.tif 000014